(57)【要約】【課題】  局所的な異常放電に起因する画像欠陥を確実に防止すると共に、転写紙の平滑度の低下を防止して、白ヌケや転写ムラ等のない高品位な画像が形成できる画像形成装置を提供すること。【解決手段】  画像情報に基づき形成された静電潜像を現像してトナー像を形成する像担持体を備えた画像形成ユニットと、前記像担持体上のトナー像が転写される中間転写体と、前記中間転写体に対向し、前記中間転写体上に転写されたトナー像を静電気力で転写紙に転写するための接触転写手段と、前記転写紙に転写されたトナー像を定着するための定着装置とを有する画像形成装置において、前記転写紙に固体の誘電物質を塗布する塗布装置を備えたこと。【選択図】        図１
2006138890.tif 000002
【特許請求の範囲】
【請求項１】
画像情報に基づき形成された静電潜像を現像してトナー像を形成する像担持体を備えた画像形成ユニットと、前記像担持体上のトナー像が転写される中間転写体と、前記中間転写体に対向し、前記中間転写体上に転写されたトナー像を静電気力で転写紙に転写するための接触転写手段と、前記転写紙に転写されたトナー像を定着するための定着装置とを有する画像形成装置において、
前記転写紙に固体の誘電物質を塗布する塗布装置を備えたことを特徴とする画像形成装置。
【請求項２】
前記塗布装置は、転写紙に固体の誘電物質を塗布するための回転可能なブラシローラを備えていることを特徴とする請求項１に記載の画像形成装置。
【請求項３】
前記固体の誘電物質の軟化点は、前記定着装置の加熱温度よりも低いことを特徴とする請求項１又は請求項２に記載の画像形成装置。
【請求項４】
前記固体の誘電物質は、無色透明であることを特徴とする請求項１乃至請求項３の何れか１項に記載の画像形成装置。
【請求項５】
画像情報に基づき形成された静電潜像を現像してトナー像を形成する像担持体を備えた画像形成ユニットと、前記像担持体上のトナー像が転写される中間転写体と、前記中間転写体に対向し、前記中間転写体上に転写されたトナー像を静電気力で転写紙に転写するための接触転写手段と、前記転写紙に転写されたトナー像を定着するための定着装置とを有する画像形成装置において、
前記転写紙に固体の誘電物質を塗布する塗布装置を備え、少なくとも、前記塗布装置により前記転写紙に固体の誘電物質を塗布する塗布制御と、前記転写紙に塗布された固体の誘電物質を前記定着装置により定着する定着制御と、固体の誘電物質が定着された前記転写紙に、接触転写手段により前記中間転写体からトナー像を転写する転写制御と、固体の誘電物質が定着された前記転写紙に転写されたトナー像を前記定着装置により定着する定着制御を行わせる制御手段を備えたことを特徴とする画像形成装置。
【請求項６】
前記塗布装置は、転写紙に固体の誘電物質を塗布するための回転可能なブラシローラを備えていることを特徴とする請求項５に記載の画像形成装置。
【請求項７】
前記固体の誘電物質の軟化点は、前記定着装置の加熱温度よりも低いことを特徴とする請求項５又は請求項６に記載の画像形成装置。
【請求項８】
前記固体の誘電物質は、無色透明であることを特徴とする請求項５乃至請求項７の何れか１項に記載の画像形成装置。
【発明の詳細な説明】
【技術分野】
【０００１】
本発明は、複写機、プリンタ、ファクシミリ等の画像形成装置に関し、特に、像担持体上に形成されたトナー像を中間転写体を介して転写紙に転写することにより画像を形成する電子写真方式の画像形成装置に関する。
【背景技術】
【０００２】
従来の画像形成装置においては、トナー像が形成された像担持体（感光体ドラム）から、転写紙にトナー像を転写する際には、コロナ放電により転写紙に電荷を与えるチャージ方式の転写手段が用いられていたが、最近では、生活環境に対する配慮により、オゾン排出量の少ないローラやベルト等で構成された接触転写手段が用いられることが多くなっている。
【０００３】
これらの接触転写方式においては、例えば、転写手段としての転写ローラに与えられた電荷が転写ローラのニップ部で転写紙を突き抜ける現象、すなわち、剥離放電と呼ばれる放電現象が発生することがある。
【０００４】
特に、中間転写体を用いた接触転写方式の画像形成装置においては、中間転写体上のトナー像を転写する際に、剥離放電が発生し易いと言われている。
【０００５】
つまり、この放電現象は、例えば、乾燥した転写紙に像担持体上のトナー像を十分に転写しようとするとき、転写手段と像担持体の間に高い転写電圧が印加されいる。この状態で、転写紙内部には、紙繊維が密な部分と粗な部分が存在するので、紙繊維が密な部分では紙繊維が誘電体層となって高い電圧が印加されても異常放電を発生しにくいが、紙繊維が祖（空隙が存在する）な部分では絶縁層である空気層が存在するために絶縁破壊を起こして局所的に異常放電が発生するといわれている。
【０００６】
従って、このような局所的な異常放電現象が発生すると、放電が行われた部分のトナーが適切に転写紙に転写されず、画像上に白い点状の画像欠陥が発生する。すなわち白ヌケと呼ばれる画像欠陥が発生してしまうという問題があった。
【０００７】
また、このような局所的な異常放電現象が継続して発生すると、特に、中間転写体表面の導電剤の連鎖又は分散状態が変化し、その結果、経時的に当該部分の表面抵抗値が低下してトナー像を担持できなくなるという問題を発生させることがあった。
【０００８】
そこで、このような放電現象は、転写紙に残存する転写電荷により発生するものであり、低湿環境下に置かれた転写紙が、含水率が低くなるために高抵抗化し、剥離放電が発生しやすくなると考えられる。そこで、このような問題を解決するために、トナー像が転写される前の転写紙のほぼ全面に接触して水分を付与する水分付与部材を備えるようにした技術（特許文献１参照）が公開されている。また、転写手段の転写紙搬送方向の上流側に、転写紙表面に帯電防止剤を塗布する耐電防止剤塗布装置を設けた技術（特許文献２参照）が公開されている。
【特許文献１】特開２０００−６６５３１号公報
【特許文献２】特開２００１−２２２１６６号公報
【発明の開示】
【発明が解決しようとする課題】
【０００９】
しかしながら、特許文献１は、転写紙に対して転写前に水分を付与すると放電現象は抑制できるかもしれないが、転写紙が水分の吸収により膨張してカールや波打ちが発生し、転写紙の平滑度が下がることによる転写のムラが発生するという新たな問題を発生させることがあった。
【００１０】
特許文献２においては、転写前に帯電防止剤を付与すると放電現象は抑制できるかもしれないが、帯電防止剤に含まれる溶剤等によっては、特許文献１と同様に、転写紙が溶剤の吸収により膨張してカールや波打ちが発生し、平滑度が下がることによる転写のムラが発生するという新たな問題を発生させることがあった。
【００１１】
そこで、本発明は、上記問題に鑑み、局所的な異常放電に起因する画像欠陥を確実に防止すると共に、転写紙の平滑度の低下を防止して、白ヌケや転写ムラ等のない高品位な画像が形成できる画像形成装置を提供することを目的とする。
【課題を解決するための手段】
【００１２】
本発明は、下記構成を採ることで上記目的を達成できる。
（請求項１）
画像情報に基づき形成された静電潜像を現像してトナー像を形成する像担持体を備えた画像形成ユニットと、前記像担持体上のトナー像が転写される中間転写体と、前記中間転写体に対向し、前記中間転写体上に転写されたトナー像を静電気力で転写紙に転写するための接触転写手段と、前記転写紙に転写されたトナー像を定着するための定着装置とを有する画像形成装置において、
前記転写紙に固体の誘電物質を塗布する塗布装置を備えたことを特徴とする画像形成装置。
（請求項２）
前記塗布装置は、転写紙に固体の誘電物質を塗布するための回転可能なブラシローラを備えていることを特徴とする請求項１に記載の画像形成装置。
（請求項３）
前記固体の誘電物質の軟化点は、前記定着装置の加熱温度よりも低いことを特徴とする請求項１又は請求項２に記載の画像形成装置。
（請求項４）
前記固体の誘電物質は、無色透明であることを特徴とする請求項１乃至請求項３の何れか１項に記載の画像形成装置。
（請求項５）
画像情報に基づき形成された静電潜像を現像してトナー像を形成する像担持体を備えた画像形成ユニットと、前記像担持体上のトナー像が転写される中間転写体と、前記中間転写体に対向し、前記中間転写体上に転写されたトナー像を静電気力で転写紙に転写するための接触転写手段と、前記転写紙に転写されたトナー像を定着するための定着装置とを有する画像形成装置において、
前記転写紙に固体の誘電物質を塗布する塗布装置を備え、少なくとも、前記塗布装置により前記転写紙に固体の誘電物質を塗布する塗布制御と、前記転写紙に塗布された固体の誘電物質を前記定着装置により定着する定着制御と、固体の誘電物質が定着された前記転写紙に、接触転写手段により前記中間転写体からトナー像を転写する転写制御と、固体の誘電物質が定着された前記転写紙に転写されたトナー像を前記定着装置により定着する定着制御を行わせる制御手段を備えたことを特徴とする画像形成装置。
（請求項６）
前記塗布装置は、転写紙に固体の誘電物質を塗布するための回転可能なブラシローラを備えていることを特徴とする請求項５に記載の画像形成装置。
（請求項７）
前記固体の誘電物質の軟化点は、前記定着装置の加熱温度よりも低いことを特徴とする請求項５又は請求項６に記載の画像形成装置。
（請求項８）
前記固体の誘電物質は、無色透明であることを特徴とする請求項５乃至請求項７の何れか１項に記載の画像形成装置。
【発明の効果】
【００１３】
本発明は、固体の誘電物質を塗布することにより、転写紙を必要以上に高抵抗化することがないようにしたので、局所的な異常放電の発生が防止でき、また、塗布した固体の誘電物質を転写紙に溶融固着（定着）して裏打ちする状態とするため、転写紙が平滑化され、白ヌケや転写ムラ等の発生しない高品位な画像形成ができる画像形成装置を提供できる。
【００１４】
また、固体の誘電物質の軟化点が定着装置の加熱温度よりも低くなるようにしたので、定着装置を通過させるだけで、転写紙に固体の誘電物質を迅速に定着させることができる。
【００１５】
また、固体の誘電物質を無色透明にしたので、転写紙に転写されたトナー像と重ね合わされても、トナー像の色に影響を与えることがないので、高品位なカラー画像が形成できる画像形成装置を提供できる。
【００１６】
また、塗布装置は、ブラシローラで固体の誘電物質を塗布するようにしたので、転写紙の繊維等を損傷することなく満遍なく均一に塗布することができる。
【発明を実施するための最良の形態】
【００１７】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００１８】
図１は本発明に係る画像形成装置の概略図、図２は本発明に係る塗布装置の概略図、図３は本発明に係る画像形成装置の回路構成を示すブロック図、図４は本発明に係る画像形成ユニットの概略図、図５は画像形成手順を示すフローチャートである。
【００１９】
図１により本発明に係る画像形成装置の構成について説明する。
【００２０】
本発明の実施の形態における画像形成装置２０は、電子写真方式の複写機とする。電子写真方式の複写機はよく知られているので、本発明と直接関わりのない部分に関しては簡単に説明する。
【００２１】
２０は画像形成装置、３０は画像形成装置２０に装着された自動原稿送り装置（ＡＤＦ）である。
【００２２】
画像形成装置２０は、筐体１の右側面部に、比較的少量の転写材Ｐを供給するための手差し皿２が設けられ、左側面部には排紙皿３が設けられている。
【００２３】
排紙皿３には、後述する給紙カセット１２や手差し皿２から供給され、画像が形成された転写材Ｐが排紙され積載するようになっている。
【００２４】
なお、転写材Ｐには、普通紙からなる通常の転写紙やＯＨＰシート等からなる特殊な転写紙があるが、本実施の形態においては、特に断りのない限り、普通紙からなる通常の転写紙（単に、転写紙Ｐともいう。）を使用するものとする。
【００２５】
筐体１の底面部には画像形成装置２０を移動できるようにするための複数のローラ（キャスターともいう。）４が設けられている。
【００２６】
筐体１の前面の上部には、画像形成装置２０を作動させるための表示手段及び操作入力手段としてのコントロールパネルＣＰが設けられている。
【００２７】
コントロールパネルＣＰには、表示手段ＤＰとしての液晶表示装置、あるいは、液用表示装置にタッチパネル等が組み込まれたタッチパネル式の液晶表示装置がある。
【００２８】
また、コピー（印刷、プリント又は印字ともいう。）をカラー又は白黒の何れにするか等の種々の画像形成条件やコピー枚数や部数等の制御関連情報の入力のために、数値等を入力するキーボードＫＢ、及び、コピー等の一連の画像形成動作を実行させるスタート釦（コピー釦ともいう。）ＳＫ等からなる操作入力手段が入力装置として設けられている。
【００２９】
特に、タッチパネル式の表示手段ＤＰは、表示部に示される数字や文字や記号等が描かれたボタン等の図柄に使用者が触れると、表示部に示される情報の選択や設定等の入力ができるようになっており、例えば、片面モードや両面モード等の作動モード等の選択設定を必要とする項目に対する入力手段を兼ねている。
【００３０】
なお、片面モードとは画像データに基づき画像形成手段１１で形成されたトナー像を転写紙Ｐの片面のみに転写して画像を形成する片面コピーモードをいう。因に、両面モードとは、転写紙の両面に画像を形成する両面コピーモードをいう。
【００３１】
筐体１の内部には、制御手段ＥＣ、転写分離手段８，定着装置１０、画像形成手段１１、画像読取手段１３、給排紙手段１４、中間転写体１６及び本実施の形態においては塗布装置１５等が設けられている。
【００３２】
制御手段ＥＣは、制御回路とも呼ばれ、画像形成装置２０の全ての作動を制御するための手段であり、ＣＰＵ（中央演算装置：Ｃｅｎｔａｌ  Ｐｒｏｃｅｓｓｉｎｇ  Ｕｎｉｔ）等からなる電気回路で構成されている。そして、ＣＰＵに予め記憶された制御プログラムや制御データ等に基づき、画像形成装置２０を構成する全ての手段を駆動制御するようになっている。
【００３３】
また、画像形成装置２０にＡＤＦ３０等の付属装置が接続されている場合は、同様に、制御手段ＥＣは、これらの付属装置と協働して、画像形成装置２０のシステムとして全体が円滑に作動するように駆動制御する。
【００３４】
更に、ＬＡＮ（ローカル・エリア・ネットワーク）等で、パーソナルコンピュータあるいは、他の情報機器等と接続されている場合も、制御手段ＥＣは、これらの機器と協働して、作動に必要な情報の記憶や授受を含め支障なく円滑に駆動制御できるものとする。
【００３５】
画像形成手段１１は、原稿の画像情報に基づく画像を形成するための手段である。本実施の形態はタンデム方式と呼ばれており、イエロー（Ｙ）画像を形成する画像形成ユニット１１Ｙ、マゼンタ（Ｍ）画像を形成する画像形成ユニット１１Ｍ、シアン（Ｃ）画像を形成する画像形成ユニット１１Ｃ、黒（Ｋ）画像を形成する画像形成ユニット１１Ｋを、上部から下部へと縦方向に順に画像形成装置２０の内部に配置している。
【００３６】
画像形成手段１１を構成する画像形成ユニット１１Ｙ、１１Ｍ、１１Ｃ、１１Ｋは、使用するトナーの色が異なる以外は、同じ作動を行うので、ここでは、イエロー（Ｙ）画像を形成する画像形成ユニット１１Ｙについてのみ記号を付して詳細に説明する。
【００３７】
画像形成ユニット１１Ｙは、例えば、モータ等の駆動源により予め設定された作像方向（例えば、反時計方向）に回転する感光体ドラム（感光体とも言う。）５Ｙ、感光体ドラム５Ｙを一様に帯電する帯電手段６Ｙ、原稿の画像情報（画像データともいう）に基づき信号化され、感光体ドラム５Ｙに静電潜像を形成する露光光ＥＹ、感光体ドラム５Ｙに形成された静電潜像をトナー像として顕像化する現像手段７Ｙ、感光体ドラム５Ｙに形成されたトナー像を中間転写体１６に転写する転写分離手段８Ｙ（１次転写手段ともいう。）、トナー像が中間転写体１６に転写された後、感光体ドラム５Ｙに残留するトナーや紙粉等を掻き落とすためのクリーニング手段９Ｙ等により構成されている。
【００３８】
そして、詳細は後述するが、それぞれの画像形成ユニットで形成されたトナー像は、例えば、時計方向に回転するベルト状の中間転写体１６に順に転写され重ね合わされるようになっている。
【００３９】
中間転写体１６に転写されたそれぞれの色のトナー像は、接触転写手段８（転写分離手段ともいう。）としての転写ローラ８によりトナー像の極性とは逆極性の電荷が転写紙Ｐに付与されて静電気力により中間転写体１６から転写紙Ｐに転写される。
【００４０】
トナー像が転写された転写紙Ｐは、定着装置１０を通過する工程でトナー像が溶融固着（定着）され、Ｙ、Ｍ、Ｃ、Ｋのトナーによるカラー画像が形成された転写紙Ｐは、その後、排紙皿３に排出されるようになっている。
【００４１】
なお、本実施の形態のように、中間転写体を用いた画像形成装置は、それぞれの画像形成ユニットで形成されたトナー像を中間転写体上に重ね合わせることができるので、カラー画像形成装置に広く利用されている。
【００４２】
転写分離手段８は、本実施の形態においては、接触転写方式による転写ローラ８として構成され、中間転写体１６と対向する転写位置に配置されており、中間転写体１６上に形成されたトナー像を転写紙Ｐにトナ像の極性とは逆極性の電荷を付与して静電気力で転写するための手段である。
【００４３】
なお、本実施の形態においては、転写紙Ｐにトナー像を転写しないときには、後述する固体の誘電物質が塗布され溶融固着されていない状態の転写紙Ｐを通過させ易くするために、中間転写体１６から離れた位置で待機することができるようになっている。
【００４４】
なお、８Ｙ、８Ｍ、８Ｃ、８Ｋ（図２に８Ｙのみ記号を付す。）は、同様の構成であるが、後述する画像形成ユニット１１Ｙ、１１Ｍ、１１Ｃ、１１Ｋで形成されたトナー像を中間転写体１６に転写するために使用される転写分離手段である。
【００４５】
クリーニング手段９は、中間転写体１６に残存するトナーや紙粉等を除去するもので、ブレードやブラシローラ等により構成されている。９Ｙ、９Ｍ、９Ｃ、９Ｋ（図２に９Ｙのみ記号を付す。）は、同様の構成であるが、後述する画像形成ユニット１１Ｙ、１１Ｍ、１１Ｃ、１１Ｋの感光体ドラムをクリーニングするために使用されるクリーニング手段である。
【００４６】
定着装置１０は、図示はしないが、例えば、ヒータを内包する加熱ローラと加圧ローラ等で構成されており、転写紙Ｐに転写されたトナー像を熱（例えば、２００℃程度）と圧力等により溶融固着（定着）するための手段である。
【００４７】
また、本実施の形態においては、転写紙Ｐの第１面（裏面）に塗布された固体の誘電物質を転写紙Ｐに溶融固着すると共に、加熱ローラと加圧ローラとの押圧作動で、固着された固体の誘電物質が転写紙Ｐの第１面（裏面）を裏打ちする状態にして、転写紙を平滑化する手段としても作動する。
【００４８】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで、構成されている。
【００４９】
読取装置ＥＳは、画像形成装置２０が複写機の場合は、自動原稿送り装置３０の底部側に位置し、筐体１の上部に設けられたプラテンガラス（図示せず）上に載置した原稿や、自動原稿送り装置３０により、読取位置に搬送された原稿の画像情報を読取り、デジタルの画像データに変換して、制御手段ＥＣに設けられた記憶手段に画像データを記憶するようになっている。
【００５０】
また、ＡＤＦ３０により搬送された原稿を画像読取手段１３で読み取る場合は、読取位置に搬送された原稿を光源ＬＴが照射し、ミラー群ＭＲを介して、原稿からの反射光を結像レンズＬＺにより読取装置ＥＳのＣＣＤ面に結像させ、ＣＣＤの出力する画像情報を画像データとして記憶するようになっている。
【００５１】
給排紙手段１４は、給紙カセット１２と、駆動源としてのモータや複数のローラ等からなる給排紙搬送装置（転写紙搬送手段）として構成されている。
【００５２】
給紙カセット１２は、例えば、特殊な転写紙を収納するカセット１２ａと、普通紙を収納するカセット１２ｂ等とで構成されている。
【００５３】
給排紙手段１４としての給排紙搬送装置は、制御手段ＥＣの指示により、特殊な転写紙、あるいは普通紙を選択した後に、駆動源であるモータを回転させることにより、複数のローラ群等を回転駆動させて、給紙カセット１２から適切なタイミングで中間転写体１６に向けて給紙搬送し、定着装置１０でトナー像が溶融固着（定着）され画像が形成された後に、排紙皿３へ排紙搬送するようになっている。
【００５４】
塗布装置１５は、詳細は後述するが、固体の誘電物質を転写紙に塗布する手段である。
【００５５】
中間転写体１６は、複数のローラに張架されたベルト状の物で構成されており、本実施の形態においては、図示せぬモータ等の駆動源により、時計方向に回転するようになっている。
【００５６】
なお、中間転写体の電気的特性（体積抵抗率、表面抵抗率等）、厚さ、構造（例えば、単層、２層、３層等の層数）、材料、材質等は、作像条件などにより適切なものを種々選択して採用することが望ましい。
【００５７】
ＡＤＦ３０は、搬送装置全体がＡＤＦ筐体３１で覆われ、ＡＤＦ筐体３１の外部に原稿載置台３２と排紙部３３が設けられている。
【００５８】
原稿載置台３２には、第１頁の原稿面（表面）を最上部にした状態の複数の原稿ＷＰが載置される。載置された原稿ＷＰは、複数のローラ等により構成される原稿搬送装置により読取位置に搬送され、読取装置ＥＳで読み取られ、排紙部３３に排紙される。
【００５９】
原稿搬送装置は、図示せぬ駆動制御回路により、画像形成装置２０の制御手段ＥＣと連動して作動するようになっている。
【００６０】
次に、図２により、本実施の形態における塗布装置について説明する。
【００６１】
塗布装置１５は、例えば粉末状の固体の誘電物質１５Ｕを収納する収納箱１５Ｆ、図示せぬモータ等の駆動源により回転し、固体の誘電物質１５Ｕを転写紙Ｐに塗布するためのブラシローラ１５Ｂ、転写紙Ｐを介してブラシローラ１５Ｂに対向して従動回転するローラ１５Ｒにより構成されている。
【００６２】
また、本実施の形態においては、例えば、塗布装置１５を挟んで、転写紙Ｐの搬送方向（図面に向かって右方向から左方向）の上流側と下流側に、転写紙Ｐを挟持して搬送する一対のローラＲ１が塗布作動を支援する手段としてそれぞれ設けられている。
【００６３】
つまり、それぞれの一対のローラＲ１により転写紙Ｐが挟持され搬送されるので、塗布前の転写紙Ｐが円滑に塗布装置１５のローラ１５Ｒとブラシローラ１５Ｂとが対向する位置に進入でき、また、塗布後の転写紙Ｐが円滑にローラ１５Ｒとブラシローラ１５Ｂとが対向する位置から退出できるようになっているので、容易にかつ迅速に、転写紙Ｐはブラシローラ１５Ｂにより固体の誘電物質１５Ｕを満遍なく均一に塗布できるようになっている。
【００６４】
従って、塗布装置１５により転写紙Ｐに固体の誘電物質１５Ｕ塗布する場合は、制御回路ＥＣの作動により、例えば、給紙カセット１２から転写紙Ｐが搬送されると、適切なタイミングでブラシローラ１５Ｂが回転を開始し、転写紙Ｐの先端がブラシローラ１５Ｂとローラ１５Ｒとが対向する位置に到達したときには、既に、ブラシローラ１５Ｂには十分に固体の誘電物質が十分に付着した状態になるようにしている。
【００６５】
そこで、転写紙Ｐが搬送されて来ると、ブラシローラ１５Ｂが固体の誘電物質１５Ｕを付着しながら転写紙Ｐの第１面（裏面）と接触して回転し、転写紙Ｐに満遍なく均一に固体の誘電物質１５Ｕを塗布することができるようになっている。
【００６６】
その後、固体の誘電物質１５Ｕが塗布された転写紙Ｐは、中間転写体１６からトナー像が転写される前に、定着装置１０を通過することにより転写紙Ｐに固体の誘電物質１５Ｕが溶融固着（定着）されるので、転写紙Ｐは必要以上に高抵抗化することがなく、しかも転写紙Ｐは平滑化されるので、白ヌケや転写ムラ等を防止できるようになっている。
【００６７】
つまり、固体の誘電物質１５Ｕを塗布した転写紙Ｐが直ちに定着装置１０を通過することにより、転写紙Ｐの第１面（裏面）に塗布された固体の誘電物質１５Ｕが、転写紙Ｐの裏面を裏打ちするように溶融固着（定着）するので、転写紙の製作過程等で生じた繊維の隙間やピンホール等を埋めることになり、放電現象が発生しにくい状態が形成される。更に、定着装置１０を通過する際に、固体の誘電物質１５Ｕが塗布された転写紙の微細な凹凸等が矯正されて、転写ムラが生じにくい平滑化な紙面が形成されるようになっている。
【００６８】
なお、塗布装置１５のブラシローラ１５Ｂは、転写紙Ｐの繊維等を損傷することなく、固体の誘電物質１５Ｕを塗布できるようにできるものであれば、ブラシローラに限定するものではないが、満遍なく均一に塗布できるようにするために、ブラシの毛の硬さや長さ、あるいは密度等が選択設定できるブラシローラを用いることが好ましい。
【００６９】
また、固体の誘電物質１５Ｕとしては、例えば、スチレン−アクリルやポリエステル等の樹脂材からなり、軟化点が１８０℃以下で融点が２００℃以下（それぞれ１８０℃又は２００℃を超えない程度）の特性を有する透明色のトナー状のものを用いることが望ましい。
【００７０】
また、塗布装置は、満遍なく均一に固体の誘電物質１５Ｕを転写紙Ｐに塗布できるものであれば良いので、例えば、固体の誘電物質１５Ｕを石鹸やローソクのようなブロック状又は円柱状の固形形状に加工したものを使用し、前述のブラシローラ１５Ｂと接触させて、ブラシローラ１５Ｂに付着した固体の誘電物質を転写紙Ｐに塗布するようにしても良いし、ブラシローラ１５Ｂを介さずに、搬送されている転写紙Ｐに直接接触させて塗布するようにしても良い。
【００７１】
図３により、本発明に係る画像形成装置の回路構成について簡単に説明する。なお、本実施の形態においては、前述のように画像形成装置が複写機である場合について説明する。
【００７２】
１００は画像形成装置２０全体の各種手段と回路との構成を示している。１１０は画像形成装置全体の制御を行うＣＰＵであり、画像形成装置２０を制御するための各種モードのプログラムやプログラムを実行するために必要なデータ等が予め記憶されている。
【００７３】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【００７４】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報を入力し記憶手段１６０に記憶する。そして、記憶手段１６０に記憶された設定情報等を画像処理回路１４０や駆動制御回路１５０、あるいは表示手段３００等に出力するようになっている。
【００７５】
また、情報制御回路１２０は、外部情報機器５００から入力した画像情報や設定情報等からなるＪＯＢ情報の他に、画像処理回路１４０や駆動制御回路１５０等を含む回路や各種手段の作動に必要な指示情報に関連する、例えば、操作入力手段２００で入力された各種情報や装置の各種手段が作動中に出力する作動状態を示す情報等を判断し、画像形成装置の作動に支障がないように、適宜円滑に画像形成装置の各回路や各種手段に情報を伝達する機能を有している。
【００７６】
なお、外部情報機器５００は、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００７７】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【００７８】
操作入力手段２００は、画像形成装置２０のコントロールパネルＣＰに設けられた入力装置である。前述したタッチパネル式の表示手段である液晶表示装置ＤＰやキーボードＫＢ、及び、スタート釦ＳＫ等が想定される。
【００７９】
例えば、キーボードＫＢを操作することにより、転写材（転写紙ともいう。）の出力枚数や種類（例えば、インデックス用紙、厚紙、普通紙、薄紙、再生紙、ＯＨＰシート等）、あるいは拡大縮小等の倍率や出力画像の濃度等の設定情報が入力できるようになっている。
【００８０】
また、操作入力手段２００は、場合によっては、画像形成装置２０の各種作動モード、例えば、コピー作動を行う場合に選択設定されるカラーモード、白黒モード、あるいは片面モード、両面モード等のモードを設定するための入力手段にもなる。
【００８１】
表示手段３００は、前述の液晶表示装置、あるいは、液晶表示部にタッチパネル等が組み込まれた表示装置ＤＰ等により構成されている。
【００８２】
表示手段３００には、操作入力手段２００で情報を入力する際の操作手順や各種情報の一覧表示、あるいは記憶手段１６０に記憶された情報の表示、画像形成装置２０の作動中の状態表示や警告表示等が表示されるようになっている。
【００８３】
画像処理回路１４０は、ＣＰＵ１１０の指示により、画像読取手段１３が読み取った原稿の画像情報をデジタル変換して、画像データとして記憶手段１６０に記憶させたり、記憶手段１６０に記憶されている画像データに基づき画像形成手段１１が画像を形成する際に、画像形成手段１１の画像形成方式に適したデータや信号等に変換する回路である。
【００８４】
駆動制御回路１５０は、ＣＰＵ１１０の指示により、画像処理回路１４０と協働して、接触転写手段８、定着手段１０、画像形成手段１１、画像読取手段１３、給排紙手段１４、及び、ＡＤＦ３０等を、予め設定された作動モードに基づき、適切なタイミングで作動させ画像形成作動を行なわせるための回路である。
【００８５】
なお、接触転写手段８、定着手段１０、画像形成手段１１、画像読取手段１３、給排紙手段１４、及び、ＡＤＦ３０については、図１または図３を参照して説明したので、ここ
では回路に関連する事項について簡単に説明する。
【００８６】
画像読取手段１３は、駆動制御回路１５０により作動され、読取位置に搬送された原稿の画像情報を読取装置ＥＳで読み取り、読み取られた画像情報は、例えば、画像処理回路１４０により、デジタルの画像データに変換して、記憶手段１６０に記憶するようになっている。
【００８７】
画像形成手段１１は、ＣＰＵ１１０の指示により、駆動制御回路１５０により作動され、画像処理回路１４０が記憶手段１６０に記憶された画像データに基づき、それぞれの画像形成ユニット１１Ｙ、１１Ｍ、１１Ｃ、１１Ｋで、それぞれの色のトナー像を像担持体（感光体ドラム５）に形成して、形成されたトナー像を中間転写体１６に転写するようになっている。
【００８８】
接触転写手段（転写ローラ）８は、駆動制御回路１５０により作動され、中間転写体１６に重ね合わされたトナー像の極性とは逆極性の電荷を付与して転写紙Ｐにトナー像を転写する作動を行うようになっている。なお、８Ｙ、８Ｍ、８Ｃ、８Ｋは画像形成ユニット１１Ｙ、１１Ｍ、１１Ｃ、１１Ｋで、感光体ドラム５に形成されたトナー像を中間転写体１６に転写する作動を行う。
【００８９】
定着装置１０は、駆動制御回路１５０の指示により、まず、転写紙Ｐの第１面（裏面）に塗布された固体の誘電物質を転写紙Ｐに溶融固着（定着）し、固着された固体の誘電物質で転写紙Ｐの第１面（裏面）を平滑化し、その後、片面コピー（片面モード）の場合は、転写紙Ｐの第２面（表面）に転写されたトナー像を熱と圧力等により溶融固着（定着）するようになっている。
【００９０】
なお、本実施の形態においては、画像形成装置内の配置構成やコスト等を考慮して、転写紙にトナー像を定着する作動と、転写紙に塗布された固体の誘電物質を定着する作動とを１つの定着装置で行うようにしたが、トナー像と固体の誘電物質をそれぞれ別の定着装置で転写紙に定着するようにしても良い。
【００９１】
給排紙手段１４は、ＣＰＵ１１０に予め設定されたプログラムに基づき、駆動制御回路１５０により、接触転写手段８、定着装置１０、塗布装置１５及び画像形成ユニット１１等と協働して作動し、転写紙Ｐを円滑にタイミング良く搬送する作動を行う。
【００９２】
塗布装置１５は、ＣＰＵ１１０の指示により、駆動制御回路１５０により給排紙手段１４と協働して作動し、転写紙に固体の誘電物質を塗布するようになっている。
【００９３】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【００９４】
記憶手段１６０は、画像を形成するために必要な画像データ及び画像形成装置２０を制御するための設定条件等からなるＪＯＢ情報やｊＯＢ情報に関連するＪＯＢデータ、及び、各種設定モードのプログラム等の情報を記憶するようになっている。
【００９５】
電源回路４００は、使用者の操作により、電源スイッチ（図示せず）が投入されると、電源から適切な通電が画像形成装置全体に行われ、電源スイッチが遮断されると、通電が遮断されるようになっている。
【００９６】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着装置のヒータ等の他の通電を遮断するするようになっている。
【００９７】
次に、図４により、本実施の形態における画像形成作動について説明する。なお、必要に応じて図１〜図３を適宜に参照して詳細に説明する。
【００９８】
転写紙Ｐの片面に画像を形成する片面モードの場合は、ＣＰＵ１１０の指示により、駆動制御回路１５０が作動し、図１に示す画像読取手段１３により読み取られた画像データ、あるいは、ＬＡＮ等の通信網により、記憶手段に記憶された画像データに基づき、良く知られた静電写真方式の画像形成ユニット１１Ｙの作動により、イエロー（Ｙ）のトナー像が形成され、中間転写体１６に転写される。
【００９９】
同様に、画像形成ユニット１１Ｍ、１１Ｃ、１１Ｋにより、マゼンタ（Ｍ）、シアン（Ｃ）、黒（Ｋ）のトナー像が形成され、中間転写体１６に転写される。
【０１００】
一方、給紙カセット１２から取り出された１枚の転写紙Ｐは、給排紙手段１４によりＸ１方向から塗布装置１５へと搬送される。
【０１０１】
塗布装置１５に到達した転写紙Ｐは、図２に示すブラシローラ１５Ｂにより固体の誘電物質１５Ｕが転写紙Ｐの第１面（裏面）に満遍なく均一に塗布される。固体の誘電物質１５Ｕが塗布された転写紙Ｐは、搬送経路Ａから定着装置１０へと搬送される。このとき、転写分離手段である転写ローラ８は中間転写体１６から離れた位置にあるので中間転写体１６と接触することはない。
【０１０２】
定着装置１０では、例えば、定着装置１０の加熱ローラと加圧ローラのニップ部を転写紙Ｐが通過することで、固体の誘電物質１５Ｕが溶融され転写紙の裏面に固着し、転写紙Ｐは固体の誘電物質１５Ｕにより裏打ちされた状態で平滑化される。
【０１０３】
定着装置１０を通過した転写紙Ｐは、図示せぬ搬送方向切換手段により、搬送経路Ｂへと搬送方向が変更され、搬送経路Ｃ，Ｄを経て搬送方向Ａへと搬送される。そして、中間転写体１６の近傍に設けられたローラＲ２の位置で一旦停止した後に、適切なタイミングで、ローラＲ２により転写紙Ｐは中間転写体１６の方向へと搬送される。
【０１０４】
転写紙Ｐが中間転写体１６に近づくと、転写ローラ８が中間転写体１６に接触する方向に作動し、その後、中間転写体１６と転写ローラ８とが対向する転写位置で、中間転写体１６と転写ローラ８とに挟持されるようにして転写紙Ｐが通過するとき、トナー像の極性とは逆極性の電荷が付与され、この静電気力により中間転写体１６上のトナー像が転写紙Ｐの第２面（表面）に転写される。
【０１０５】
このとき、転写紙Ｐは、前述のように、固体の誘電物質１５Ｕが塗布され、転写紙の製作過程等で生じた繊維の隙間やピンホール等が埋められ、転写紙の微細な凹凸が矯正されているので、剥離放電が防止され、白ヌケや転写ムラが発生することなく高品位な画像が形成される。
【０１０６】
トナー像が転写された転写紙Ｐは、定着装置１０を通過してトナー像を溶融固着し、Ｘ４方向に搬送され、図１に示す排紙皿３に排紙される。複数枚の転写紙Ｐの片面に画像を形成する場合は、この作動を繰り返して実行することになる。
【０１０７】
また、両面コピー（両面モード）を行う場合は、まず、制御手段ＥＣのＣＰＵ１１０は、駆動制御回路１５０により、前述の転写紙Ｐの片面に画像を形成する作動を行わせる。
【０１０８】
そして、片面に画像が形成された転写紙Ｐは、定着装置１０を通過した後に、排紙皿３方向（矢印Ｘ４方向）へと搬送され、転写紙Ｐの後端が一対のローラＨＲを通過する寸前に、制御手段ＥＣはローラＨＲの回転を停止する。
【０１０９】
引き続いて、ローラＨＲを逆方向に回転させることによりＸ３方向に搬送し、転写紙の表裏を反転させ、搬送経路Ｃ、Ｄを経て搬送経路Ａへと搬送する。
【０１１０】
搬送経路Ａに再度進入した転写紙Ｐは、ローラＲ２の位置で一旦停止した後に、適切なタイミングで中間転写体１６方向に搬送され、第１面（裏面）に画像形成手段１１により形成されたトナー像が、片面コピーと同様に、中間転写体１６から転写ローラ８により転写紙Ｐに転写される。
【０１１１】
そして、定着装置１０を通過した後、今度は、ローラＨＲが停止することなく、排紙皿３に向けてＸ４方向に転写紙Ｐを搬送して排紙し、１枚の転写紙Ｐの両面コピーを終了する。従って、複数枚の両面コピーが行われる場合は、この工程を繰り返すことになる。
【０１１２】
なお、本実施の形態においては、両面コピーの場合は、転写紙の第２面（表面）に片面コピーが実行された転写紙Ｐが、他の面、つまり第１面にトナー像を転写する前に、固体の誘電物質を塗布しないようになっているが、転写紙Ｐの第１面（裏面）には、片面の画像を転写する前に、既に固体の誘電物質１５Ｕが塗布されているので、両面コピー時に、転写紙Ｐの第２面（表面）に固体の誘電物質１５Ｕを塗布しなくても、剥離放電が防止され、白ヌケや転写ムラが発生することなく高品位な画像が形成される。
【０１１３】
従って、固体の誘電物質を転写紙の第１面と第２面の両面に塗布しても良いが、固体の誘電物質の消費量やコピーの生産性等と塗布効果とを考慮すると、本実施の形態のように第１面にのみ塗布することが好ましい。
【０１１４】
また、一般には、転写紙の搬送経路には、転写紙を適切に搬送するためのガイド部材や搬送経路を切り換える切換手段等が設けられていることが多いが、本発明の実施の形態においては、説明を簡単にするために、これらの部材に関する図示および説明を省略した。
【０１１５】
図５により、本発明に係る画像形成制御の手順を説明する。なお、適宜に図１〜図４を参照して説明するが、同じ符号のものは同じ手段や物等を示すものとする。
【０１１６】
（ＳＴ１）
片面モードか否かを判断するステップである。本実施の形態においては、コントロールパネルＣＰのキーボードＫＢ等で、片面モードや両面モードが選択され、コピー枚数やコピー部数等の情報が選択設定された後に、スタートキーＳＫが押されると、制御回路ＥＣのＣＰＵ１１０の指示により、情報制御回路１２０が設定された情報を判断するようになっている。
【０１１７】
従って、情報制御回路１２０が、片面モードと判断した場合はＳＴ２に進み、片面モードでない場合、つまり、両面モードの場合はＳＴ７に進む。
【０１１８】
（ＳＴ２）
転写紙の給紙作動を行うステップである。ＣＰＵ１１０の指示により駆動制御回路１５０は給排紙手段１４を作動させ、給紙カセット１２から１枚の転写紙Ｐを取り出し、ＳＴ３に進む。
【０１１９】
（ＳＴ３）
誘電物質の塗布作動を行うステップである。駆動制御回路１５０は塗布装置１５を作動させ、給紙カセット１２から搬送されてきた転写紙の第１面（裏面）に固体の誘電物質を塗布し、ＳＴ４に進む。
【０１２０】
（ＳＴ４）
誘電物質の定着作動を行うステップである。駆動制御回路１５０は、予め所定の定着温度になるように定着装置１０を作動させており、所定の定着温度になっている定着装置１０に固体の誘電物質が塗布された転写紙Ｐが搬送されてくると、例えば、定着装置１０の加熱ローラと加圧ローラで転写紙Ｐを挟持、押圧しながら通過させ、転写紙Ｐに固体の誘電物質を溶融固着（定着）させ、ＳＴ５に進む。
【０１２１】
（ＳＴ５）
トナー像の転写作動を行うステップである。ＣＰＵ１１０は駆動制御回路１５０による転写紙Ｐの搬送作動等とは別に情報制御回路１２０を作動させ、記憶手段１６０に記憶された画像データを読み出し、画像処理回路１４０により読み出された画像データを適切なデータ形式に変換するように指示すると共に、駆動制御回路１５０は画像形成ユニット１１Ｙ、１１Ｍ、１１Ｃ、１１Ｋからなる画像形成手段１１を作動させ、形成されたＹ、Ｍ、Ｃ、Ｋ各色のトナー像を中間転写体１６に重ね合わせるように作動させる。
【０１２２】
そこで、適切なタイミングで、固体の誘電物質が定着された転写紙Ｐを中間転写体１６と転写ローラ８が対向する転写位置に搬送し、転写ローラ８によりトナー像の極性とは逆極性の電荷を付与して、中間転写体１６上のトナー像を固体の誘電物質が定着された転写紙Ｐ（以下、単に、転写紙Ｐともいう。）に転写し、ＳＴ６に進む。
【０１２３】
このとき、転写紙Ｐには既に固体の誘電物質が塗布され、平滑化されているので、剥離放電等を発生させることがなく、白ヌケや転写ムラのない高品位な画像が転写される。
【０１２４】
（ＳＴ６）
トナー像の定着作動を行うステップである。トナー像が転写された転写紙Ｐが定着装置１０に搬送されると、定着装置１０の加熱ローラと加圧ローラにより転写紙Ｐにトナー像が溶融固着（定着）され、白ヌケや転写ムラのない高品位な画像が形成されると、ＳＴ９に進む。
【０１２５】
（ＳＴ７）
片面コピーが終了したか否かを判断するステップである。このステップは、ＳＴ１ステップで、情報制御回路１２０により片面モードではない、つまり、両面モードと判断された場合に実行されるステップである。両面モードで、まだ、片面コピーの作動が実行されていない場合はＳＴ２に進み、片面コピーの作動が既に終了している場合は、ＳＴ８に進む。
【０１２６】
（ＳＴ８）
転写紙の反転作動を行うステップである。すでに、両面モードで、転写紙Ｐの第２面（表面）の片面コピーが終了しているので、他の面、つまり転写紙Ｐの第１面（裏面）のコピーができるように、駆動制御回路１５０は給排紙手段１４により転写紙Ｐの表裏を反転させ、中間転写体１６と転写ローラ８が対向する転写位置に搬送し、ＳＴ５に進む。
【０１２７】
（ＳＴ９）
両面モードか否かを判断するステップである。このステップに来たときの転写紙Ｐは、少なくとも片面コピーの作動が終了した状態にある。従って、両面モードか否かを判断し、両面モードではない場合、つまり、片面モードの場合は片面コピーの作動が終了しているので、排紙作動を行わせる必要があるためにＳＴ１１に進み、両面モードの場合は、他の面のコピー作動を実行させる必要があるか否かを判断するために、ＳＴ１０に進む。
【０１２８】
（ＳＴ１０）
両面コピーの作動が終了したか否かを判断するステップである。両面コピーの作動が終了している場合は排紙作動を行うためにＳＴ１１に進み、両面コピーの作動が終了していない場合、つまり、両面モードで片面のみコピー作動が終了した状態の場合は、他の面のコピー作動を行わせるために、ＳＴ１ステップに戻る。
【０１２９】
（ＳＴ１１）
転写紙の排紙作動を行うステップである。片面モードや両面モードのコピー作動が完了した転写紙Ｐを排紙皿３に排紙して、ＳＴ１２に進む。
【０１３０】
（ＳＴ１２）
所定枚数のコピーが終了したか否かを判断するステップである。コントロールパネルＣＰのキーボードＫＢ等で設定されたコピー枚数やコピー部数、あるいは、ＡＤＦ３０で読み取られた原稿の枚数やコピー部数に満たない場合は、残りの枚数やコピー部数のコピーを実行させるためにＳＴ１に戻り、設定されたコピー枚数やコピー部数を完了した場合は、一連の画像形成作動の制御を終了する。
【０１３１】
以上のように、制御手段としてのＣＰＵ１１０を含む制御回路ＥＣは、円滑な画像形成作動が実行できるように各種手段を制御するものであるが、特に、本実施の形態においては、転写紙に中間転写体からトナー像を転写する前に、固体の誘電物質を塗布する制御を行い、転写紙に固体の誘電物質を定着させた後に、中間転写体からトナー像を転写するように制御することにより、剥離放電等を防止し、白ヌケや転写ムラのない高品位な画像を形成できるようにしている。
【０１３２】
以上に説明した本実施の形態における画像形成装置により、下記の条件で実験した実施例と比較例１及び比較例２を示す。
【実施例】
【０１３３】
（Ａ）実施例１：本実施の形態における実施例。
（１）条件：
・タンデム方式のフルカラー複写機（図１参照）。
・プロセススピード＝２２０ｍｍ／ｓ。
・感光体ドラム径φ６０ｍｍ。有機半導体層としてフタロシアニン顔料をポリカーボネイトに分散させたものを塗布した。電荷輸送層を含めた感光体層の膜厚は２５μｍ。
・感光体非画像部電位：電位センサで検知しフィードバック制御（制御可能範囲は−５００Ｖ〜−９００Ｖ）、全露光電位：−５０〜０Ｖ。
・露光：レーザー走査方式：半導体レーザー（ＬＤ）パワー：３００μＷ。
・現像：２成分現像方式。
・中間転写体：シームレス半導電樹脂ベルト（表面抵抗率１Ｅ＋１１Ω／□、体積抵抗率１Ｅ＋８Ω・ｃｍ）。
・１次転写手段：中間転写体背面に発泡ローラ（φ２０ｍｍ、体積抵抗率１Ｅ＋６Ω・ｃｍ）を設置し、温湿度とカウンターでマトリックスを組んだ電流値テーブルから所定の電流値を選択し印加する。
・１次転写ロール外径：φ２０ｍｍ。
・１次転写導電性部材：導電性ローラ使用、ローラ押圧：９．８Ｎ×０．５≒４．９Ｎ。
・中間転写ベルトのテンション：９．８Ｎ×５≒４９Ｎ。
・２次転写手段：中間転写体をバックアップローラと２次転写ローラで挟み込んだ構成で抵抗値は共に１×１０7Ω、温湿度とカウンターでマトリクスを組んだ電流値テーブルから所定の電流値を選択し印加する。
・ブラシ：φ１８×３３５ｍｍ、東レ製ＳＡ−７，６．２５ｄ（デニール）、５０ｋ本／２．５４ｃｍ。回転数：５０〜６００ｒｐｍ可変、デフォルト２５０ｒｐｍ。
・潤滑剤：Ｚｎ−Ｓｔ１００％固形状サイズ８×１０×３３５ｍｍ
・定着：内部にヒータを配置したローラ定着。定着温度：約２００℃
（２）付加条件
（ａ）誘電物質塗布装置：（塗布装置１５：図２参照）
・上ローラ（ローラ１５Ｒ：図２参照）：φ３０×３３５ｍｍ、発砲ゴムローラ転写（φ２０ｍｍ、１Ｅ＋６Ω・ｃｍ）、材質エピクロルヒドリン、硬度３０度（アスカーＣ）。
・下ブラシ（ブラシローラ１５Ｂ：図２参照）：φ３０×３３５ｍｍ、東レ製ＳＡ−７，６．２５ｄ、５０ｋ本／２．５４ｃｍ。回転数５０〜６００ｒｐｍ可変、デフォルト２５０ｒｐｍ。
（ｂ）誘電物質：（固体の誘電物質１５Ｕ：図２参照）
・着色剤、外該添剤なしの無色トナー、粒径φ６．５μｍ
・誘電物質付着量：１枚当たり４〜６ｇ／ｍ2
（Ｂ）比較例１
（１）条件：実施例１と同じ。
（２）付加条件：誘電物質無し。
（Ｃ）比較例２
（１）条件：実施例１と同じ。
（２）付加条件：転写前水分付与装置（特許文献１：図１参照）。
【０１３４】
以上の条件及び構成にて、平滑度２５ｓｅｃの転写紙に画像を形成したところ、下記の結果を得た。
（実験結果）
（Ａ）実施例１：微少な白点（白ヌケ）と転写によるムラ（転写ムラ）の発生は無し。
【０１３５】
（Ｂ）比較例１：白ヌケと転写ムラの発生有り。
【０１３６】
（Ｃ）比較例２：白ヌケの発生は無し。転写ムラの発生有り。
【０１３７】
従って、比較例１のように、転写紙に誘電物質を塗布しないと、放電現象が発生し白ヌケや転写ムラが発生し、比較例２のように、転写紙に転写前水分付与を行うと、放電現象は防止できるが、転写紙の膨潤で転写ムラが発生することが判る。
【０１３８】
すなわち、本実施の形態のように、転写紙の第１面（裏面）に固体の誘電物資を塗布すれば、白ヌケや転写ムラの発生を防止できる効果があることが判る。
【０１３９】
なお、これらの実験により、白ヌケや転写ムラを防止し高品位な画像を形成するためには、転写紙に固体の誘電物資を塗布して、転写紙の体積抵抗率を１×１０6〜１０10Ω・ｃｍに、比誘電率を５以上１５以下（５≦比誘電率≦１５）、また、平滑度を２５ｓｅｃ以上３００ｓｅｃ以下（２５ｓｅｃ≦平滑度≦３００ｓｅｃ）にすることが好ましいことが判った。
【０１４０】
以上のように、本発明は、転写紙に固体の誘電物質を塗布することにより、転写紙を必要以上に高抵抗化することがないようにしたので、局所的な異常放電の発生が防止でき、また、塗布した固体の誘電物質が転写紙を裏打ちする状態となるため、転写紙が更に平滑化され、白ヌケや転写ムラ等の発生しない高品位な画像形成ができる画像形成装置を提供できるようになった。
【０１４１】
また、固体の誘電物質の軟化点が定着装置の加熱温度よりも低くしたので、定着装置を通過させるだけで、転写紙に固体の誘電物質を迅速に溶融固着させることができるようになった。
【０１４２】
また、固体の誘電物質を無色透明にしたので、転写紙に転写されるトナー像のトナーの色に影響を与えることがなく、しかも、転写紙が平滑化されて転写ムラがないので、特に高品位なカラー画像が形成できるようになった。
【０１４３】
また、塗布装置としては、ブラシローラにより塗布するようにしたので、転写紙の繊維等を損傷することなく固体の誘電物質を塗布することができるようになった。
【０１４４】
なお、本発明を画像形成装置が複写機の場合について説明したが、本発明はこれに限定されるものではなく、画像形成装置がプリンタやファクシミリであっても良いことは言うまでもない。
【図面の簡単な説明】
【０１４５】
【図１】本発明に係る画像形成装置の概略図。
【図２】本発明に係る塗布装置の概略図。
【図３】本発明に係る画像形成装置の回路構成を示すブロック図。
【図４】本発明に係る画像形成ユニットの概略図。
【図５】本発明に係る画像形成制御の手順を示すフローチャート。
【符号の説明】
【０１４６】
１  筐体
２  手差し皿
３  排紙皿
４  ローラ
５  感光体ドラム
６  帯電手段
７  現像手段
８  転写分離手段
９  クリーニング手段
１０  定着装置
１１  画像形成手段
１２  給紙カセット
１３  画像読取手段
１４  給排紙手段
１５  塗布装置
１６  中間転写体
１７  反転ローラ
２０  画像形成装置
３０  自動原稿送り装置
【図１】
2006138890.tif 000003
【図２】
2006138890.tif 000004
【図３】
2006138890.tif 000005
【図４】
2006138890.tif 000006
【図５】
2006138890.tif 000007